(57)【特許請求の範囲】
【請求項１】
略水平な上面部と、該上面部から垂設された垂下部と、該垂下部に設けられた排水管接続部からなるドア排水部材であって、
前記上面部には、防水パン側へ突出する延出片が形成され、該延出片には防水パンに引っ掛け可能な下方へ突出した引っ掛け片が備えられており、該引っ掛け片を防水パンに引っ掛けてドア排水部材を防水パンへ取り付けた状態では、前記上面部は防水パンの外方に位置することを特徴とするドア排水部材。
【請求項２】
前記引っ掛け片の下方には、前記垂下部から防水パン側へ突出して、防水パン裏側に当接することでドア排水部材の傾きを防ぐことのできる外れ防止突起が備えられている請求項１に記載のドア排水部材。
【請求項３】
前記請求項１または請求項２に記載のドア排水部材の引っ掛け片を、防水パンの外周端に立ち上げ形成した立上り部に引っ掛けて取り付けることを特徴とするドア排水部材の取付構造。
【請求項４】
前記立上り部に、前記ドア排水部材を位置決めできる凹状の切欠き部を設けたことを特徴とする請求項３に記載のドア排水部材の取付構造。
【発明の詳細な説明】
【技術分野】
【０００１】
本発明は、防水パンに取り付けられるドア排水部材およびその取付構造に関するものである。
【背景技術】
【０００２】
従来、特許文献１に開示されているドア排水部材の取付構造では、図６に示すように、上面側に浴槽３が設置される浴槽側防水パン１の底側には排水トラップ２が設けられており、洗い場側防水パン４の洗い場面４ａの外周側には、ドア枠５が洗い場面４ａと面一状に取り付けられ、このドア枠５のレール溝５ａに溜まった排水を受け止めるドア排水部材６がドア枠５の下方側に取り付けられ、このドア排水部材６から排水管１０を通って排水が排水トラップ２に流されるように構成されている。
【特許文献１】特開２０００−２７４１５４号公報
【発明の開示】
【発明が解決しようとする課題】
【０００３】
従来の図６に示したドア排水部材６の取付構造では、洗い場側防水パン４の洗い場面４ａの外周側に、上下方向に貫通させて開口Ｋを形成させておき、この開口Ｋ内に下方側よりドア排水部材６を取り付けている。
そのため、従来では、洗い場側防水パン４に開口Ｋを形成させるための加工が面倒となり、また、この開口Ｋに取り付けられるドア排水部材６の防水処理が困難で、開口Ｋからの水漏れの心配があり、水密性を確保し難いという問題点があった。
【課題を解決するための手段】
【０００４】
本発明は上記従来の問題点に鑑み案出したものであって、防水パン側に開口を形成させる必要がなく、良好な水密性を確保して防水パンに取り付けできるドア排水部材およびその取付構造を提供するものであり、その請求項１は、略水平な上面部と、該上面部から垂設された垂下部と、該垂下部に設けられた排水管接続部からなるドア排水部材であって、
前記上面部には、防水パン側へ突出する延出片が形成され、該延出片には防水パンに引っ掛け可能な下方へ突出した引っ掛け片が備えられており、該引っ掛け片を防水パンに引っ掛けてドア排水部材を防水パンへ取り付けた状態では、前記上面部は防水パンの外方に位置することである。
【０００５】
また、請求項２は、前記引っ掛け片の下方には、前記垂下部から防水パン側へ突出して、防水パン裏側に当接することでドア排水部材の傾きを防ぐことのできる外れ防止突起が備えられていることである。
【０００６】
また、ドア排水部材の取付構造は、前記請求項１または請求項２に記載のドア排水部材の引っ掛け片を、防水パンの外周端に立ち上げ形成した立上り部に引っ掛けて取り付けることである。
【０００７】
また、請求項４は、前記立上り部に、前記ドア排水部材を位置決めできる凹状の切欠き部を設けたことである。
【発明の効果】
【０００８】
本発明は、略水平な上面部と、該上面部から垂設された垂下部と、該垂下部に設けられた排水管接続部からなるドア排水部材であって、前記上面部には、防水パン側へ突出する延出片が形成され、該延出片には防水パンに引っ掛け可能な下方へ突出した引っ掛け片が備えられており、該引っ掛け片を防水パンに引っ掛けてドア排水部材を防水パンへ取り付けた状態では、前記上面部は防水パンの外方に位置することにより、引っ掛け片を防水パンに引っ掛けることで容易にドア排水部材の取り付けが可能であり、防水パン側に開口を形成させる必要がなく、水密性を良好に確保して取り付けることができるものである。
【０００９】
また、前記引っ掛け片の下方には、前記垂下部から防水パン側へ突出して、防水パン裏側に当接することでドア排水部材の傾きを防ぐことのできる外れ防止突起が備えられていることにより、引っ掛け片を防水パンに引っ掛けてドア排水部材を取り付けると、外れ防止突起が防水パン裏側に当接してドア排水部材が傾くことが良好に防がれ、そのためドア排水部材が防水パンから外れたり落下したりすることがなくなる。
【００１０】
また、ドア排水部材の取付構造は、前記請求項１または請求項２に記載のドア排水部材の引っ掛け片を、防水パンの外周端に立ち上げ形成した立上り部に引っ掛けて取り付けることとしたため、引っ掛け片を防水パンの立上り部に引っ掛けることで、極めて容易にドア排水部材の取り付け施工を行うことができ、しかも、良好な水密性が確保されるものとなる。
【００１１】
また、前記立上り部に、前記ドア排水部材を位置決めできる凹状の切欠き部を設けたことにより、切欠き部内にドア排水部材を取り付けることができ、施工時にドア排水部材の位置決めが極めて容易となり、しかも、ドア排水部材の横ずれが生じ難いものとなる。
【実施例】
【００１２】
以下、本発明の実施例を図面に基づいて説明する。
図１は、防水パンにドア枠とともにドア排水部材を取り付けた状態の側面拡大構成図であり、図２は、防水パンの要部斜視構成図であり、図３は、ドア排水部材の拡大斜視構成図である。また、ドア排水部材の取付状態の平面図は図４に示し、図５では、図４におけるＡ−Ａ線断面を示す。
【００１３】
図において、防水パン４の洗い場面４ａの外周側には、上方へ膨出して突出部４ｂが形成され、この突出部４ｂから下方へ向かって垂下片４ｃが一体形成され、垂下片４ｃの下端側から外側へ略水平に突出して水平支持片４ｄが形成され、水平支持片４ｄの外端で上方へ向かって立ち上がる立上り部４ｅが一体形成されており、また、垂下片４ｃの下端には水平支持片４ｄよりも下方へ突出した係合凸部４ｇが一体形成されている。なお、図中４ｈは補強リブである。
このように形成された防水パン４の立上り部４ｅの所定位置には、図２に示すように、下方側に凹状に凹ませて切欠き部４ｆが形成されている。
なお、ドア枠５と防水パンの突出部４ｂの間は接着剤もしくはシリコンで密接されている。
【００１４】
一方、ドア排水部材６は、図３に示すように、略水平な上面部６１には、内側端（防水パン４側）の左右に、更に略水平に突出して左右の延出片６２ａ，６２ｂが形成されており、各延出片６２ａ，６２ｂの先端には、下方側へ垂下状に引っ掛け片６３ａ，６３ｂが一体形成されている。
上面部６１の下方には、垂下状に有底箱状の垂下部６４が一体形成されており、垂下部６４の下端側には、延出片６２ａ，６２ｂと同方向に突出して、排水管１０を接続できる排水管接続部６５が一体形成されている。
また、垂下部６４には、引っ掛け片６３ａ，６３ｂの下方位置で、延出片６２ａ，６２ｂと平行状に外方へ略水平に突出して、外れ防止突起６６が一体形成されている。なお、上面部６１には、垂下部６４内に連通する上面開口６１ａが開口形成されている。
【００１５】
このような構造のドア排水部材６は、防水パン４の切欠き部４ｆ内に上方から延出部６２ａ，６２ｂを落とし込むようにして、引っ掛け片６３ａ，６３ｂが立上り部４ｅに引っ掛けられて取り付けられるものである。
即ち、引っ掛け片６３ａ，６３ｂが立上り部４ｅに引っ掛けられて、吊り下げ状にドア排水部材６が取り付けられるものであり、この取付状態では、防水パン４の係合凸部４ｇに外れ防止突起６６が当接状態となり、これにより、ドア排水部材６は、傾くことなく略垂直状態に維持される。しかも、切欠き部４内にドア排水部材６の左右の延出片６２ａ，６２ｂが嵌まり込んでいるために、ドア排水部材６は良好に位置決めされて横方向へずれることがなく、所定位置に正確に取り付けられるものである。
【００１６】
ドア排水部材６の取り付け後に、上面部６１の上面側にドア枠５が設置され、ドア枠５の底面５ｂが上面部６１上に載置されて、ドア枠５によりドア排水部材６は下方側へ押圧されて安定した取付状態が維持されるものである。この状態において、ドア枠５のレール溝５ａ内に溜まる水が、底面５ｂからドア排水部材６の上面開口６１ａを通り、垂下部６４内に溜められるものであり、排水は、更に排水管接続部６５に接続される排水管１０を通り、排水トラップ２に排水されるものである。
【００１７】
本例においては、防水パン４側には切欠き部４ｆのみを形成させておけば良く、従来のような貫通した開口Ｋを形成させる必要がないため、加工が容易であり、しかも、防水パンの立上り部４ｅに引っ掛け片６３ａ，６３ｂを引っ掛けることで、極めて容易にドア排水部材６の取り付けを完了することができる。
また、従来のような開口Ｋが存在しないために、開口Ｋからの水漏れ等を心配する必要がなく、良好な水密性が確保されるものである。
【００１８】
なお、図４にａで示す、防水パン４の垂下片４ｃと立上り部４ｅ間の寸法は、従来よりも短い寸法に設定されており、防水パンの立上り部４ｅの外側にドア排水部材６が配設されても、ドア枠５の底面５ｂでドア排水部材６の上面部６１を完全に覆うことができるように構成されており、ドア位置をずらす等の配慮が不要なものとなっている。
【図面の簡単な説明】
【００１９】
【図１】防水パンにドア枠とドア排水部材を取り付けた状態の側面拡大構成図である。
【図２】防水パンの要部斜視構成図である。
【図３】ドア排水部材の拡大斜視構成図である。
【図４】ドア排水部材を防水パンに取り付けた状態の平面構成図である。
【図５】図４におけるＡ−Ａ線断面構成図である。
【図６】従来のドア排水部材の取付構造を示す概略配置構成図である。
【符号の説明】
【００２０】
２  排水トラップ
４  防水パン
４ａ  洗い場面
４ｃ  垂下片
４ｄ  水平支持片
４ｅ  立上り部
４ｆ  切欠き部
４ｇ  係合凸部
５  ドア枠
５ａ  レール溝
５ｂ  底面
６  ドア排水部材
１０  排水管
６１  上面部
６１ａ  上面開口
６２ａ，６２ｂ  延出片
６３ａ，６３ｂ  引っ掛け片
６４  垂下部
６５  排水管接続部
６６  外れ防止突起
【図１】
0005147326.tif 000002
【図２】
0005147326.tif 000003
【図３】
0005147326.tif 000004
【図４】
0005147326.tif 000005
【図５】
0005147326.tif 000006
【図６】
0005147326.tif 000007